(57)【要約】【課題】  スキャナによってスキャンコードからデータまたは情報を受け取ることができるスキャニング機能を有する装置を提供する。【解決手段】  透視ガラス板１８を備えた本体１４と、装置に結合され、スキャンコードを有する装着物３６と、透視ガラス板１８上にまたは透視ガラス板１８に隣接して配置されたスキャンコードを光学的にスキャンするスキャナと、前記スキャンコードから得られた情報を処理し、また情報または指示を装置に提供するようにしたプロセッサ３５とを備えている。【選択図】      図１Ｂ
2004266833.tif 000002
【特許請求の範囲】
【請求項１】
透視ガラス板を備えた本体と、
装置に接合され、スキャンコードを有する装着物と、
透視ガラス板上にまたは透視ガラス板に隣接して配置されたスキャンコードを光学的にスキャンするスキャナと、
前記スキャンコードから得られた情報を処理し、また情報または指示を装置に提供するようにしたプロセッサと
を備えている、スキャニング機能を有する装置。
【請求項２】
カバーを備え、該カバーが前記透視ガラス板の少なくとも一部の上側に配置され、前記カバーの上に、または、前記カバーの近くに前記装着物が配置されている、請求項１に記載のスキャニング機能を有する装置。
【請求項３】
前記スキャナが前記スキャンコードを自動的に読み取るかまたはスキャンするようにすると共に、前記プロセッサが前記スキャンコードから得られた情報またはデータの少なくとも一部に基づいて前記装置を設定している、請求項１に記載のスキャニング機能を有する装置。
【請求項４】
前記プロセッサが前記スキャンコードから得られた情報またはデータの少なくとも一部に基づいて、前記装置のコントロールまたは前記装置の言語設定または用紙サイズの設定を行なっている、請求項３に記載のスキャニング機能を有する装置。
【請求項５】
前記スキャンコードがバーコードで構成されている、請求項１に記載の装置。
【請求項６】
前記カバーが前記本体に連結されている、請求項２に記載のスキャニング機能を有する装置。
【請求項７】
前記カバーが、１つまたは複数のヒンジまたは連結手段により前記本体に連結されている、請求項６に記載のスキャニング機能を有する装置。
【請求項８】
前記カバーが、前記本体に一体に付けられているか、または連結されている、請求項６に記載のスキャニング機能を有する装置。
【請求項９】
透視ガラス板を備えた本体と、
前記透視ガラス板のスキャニング範囲内に配置され、スキャンコードを有する装着物と、
前記スキャンコードをスキャンする手段と、
前記スキャンする手段から受け取られる情報またはデータを受け取って処理する手段と
を備えている、スキャニング機能を有する装置であって、
前記スキャンコードから得られた情報またはデータに基づいて、少なくとも一部が設定されている、スキャニング機能を有する装置。
【請求項１０】
透視ガラス板、および前記透視ガラス板上に配置された対象物をスキャンして、前記対象物の画像を複写する手段を備えた本体と、
前記透視ガラス板の少なくとも一部の上に配置され、上面および該上面よりも前記透視ガラス板のさらに近くにある下面とを有し、前記上面から前記下面へ貫通する開口を備えたカバーと、
スキャンコードを有する装着物と
を備えている、スキャニング機能を有する装置であって、
スキャンする手段によってスキャンされる範囲内の前記開口の上に、前記スキャンコードの少なくとも一部を位置決めするようにして前記装着物が前記カバーの前記上面にまたは前記上面の上方に配置されている、スキャニング機能を有する装置。
【請求項１１】
前記カバーを前記本体に連結し、前記カバーが開いた位置と閉じた位置との間で動かすことができ、
前記カバーが、閉じた位置またはほぼ閉じた位置にあるときに、前記スキャンコードが前記スキャンする手段の光学的視野内に配置されるようになっている、請求項１０に記載のスキャニング機能を有する装置。
【請求項１２】
前記装着物が、前記カバーの前記上面に粘着剤で貼り付けられるステッカーで構成されている、請求項１０に記載のスキャニング機能を有する装置。
【請求項１３】
前記ステッカーは、第１の側にバーコードを有し、第２の側に指示を有している、請求項１２に記載のスキャニング機能を有する装置。
【請求項１４】
前記スキャンする手段がスキャンコードをスキャンするかまたは読み取るようにすると共に、プロセッサが前記スキャンコードから得られたデータまたは情報の少なくとも一部に基づいて前記装置の動作特性を設定している、請求項１０に記載のスキャニング機能を有する装置。
【請求項１５】
前記動作特性によって少なくとも前記装置の言語または用紙サイズが設定されている、請求項１４に記載のスキャニング機能を有する装置。
【請求項１６】
前記透視ガラス板上に共通イメージング領域を画定する内枠と、
前記内枠の外側に設けられた外枠と
をさらに備え、
前記開口が前記透視ガラス板の近くにあるときに、前記透視ガラス板上で、前記内枠と前記外枠との間に画定されたエリアの一部の上には、前記開口の少なくとも一部が配置されている、請求項１０に記載のスキャニング機能を有する装置。
【請求項１７】
前記カバーが、前記本体に固定状態に取り付けられるか、あるいは連結されている、請求項１０に記載のスキャニング機能を有する装置。
【請求項１８】
透視ガラス板と、
装置に接合され、設定情報を表わすスキャンコードを有し、かつ前記透視ガラス板の一部の近くに配置された装着物と、
前記透視ガラス板と光学的に連結して配置することができ、前記スキャンコードの画像を受け取るようにした光学アセンブリと、
前記設定情報を解読して、前記設定情報により前記装置を設定するために、前記画像を処理するようにしたプロセッサと
を備えている、スキャニング機能を有する装置。
【請求項１９】
前記光学アセンブリが、前記透視ガラス板の別の部分の近くに配置された対象物の画像を受け取るようにしている、請求項１８に記載のスキャニング機能を有する装置。
【請求項２０】
前記設定情報には、言語、国、用紙サイズ、動作速度の少なくとも１つが含まれている、請求項１８に記載のスキャニング機能を有する装置。
【請求項２１】
設定データを有するスキャンコードの少なくとも一部が、前記装置の透視ガラス板の設定領域内、または、前記設定領域の近くに配置されている、前記スキャンコードを有する装着物を提供するステップと、
前記設定領域を光学的にスキャンして、前記スキャンコードを検出するステップと、
前記スキャンコードを自動的に処理して、前記設定データを得るステップと、
少なくとも前記設定データの一部に基づいて、前記装置を自動的に設定するステップと、
を含む、スキャニング機能を有する装置を設定する方法。
【請求項２２】
第１の側と第２の側を備えた前記装置の表面を提供するステップと、
前記表面に前記第１の側から前記第２の側へ貫通する開口を設けるステップと、
前記スキャンコードを有している前記装着物の少なくとも一部を、前記開口の上側に付けて、前記スキャンコードの少なくとも一部を前記設定領域内、または前記設定領域の近くに配置するステップと、
を含む、請求項２１に記載のスキャニング機能を有する装置を設定する方法。
【請求項２３】
前記スキャンコードがバーコードで形成されている、請求項２１に記載のスキャニング機能を有する装置を設定する方法。
【請求項２４】
前記装置の前記表面が前記装置に移動可能に連結されている、請求項２１に記載のスキャニング機能を有する装置を設定する方法。
【請求項２５】
前記表面が開いた位置と閉じた位置との間で移動し、前記表面が前記閉じた位置またはほぼ閉じた位置にあるときに、前記スキャンコードが前記スキャンする手段の前記スキャニング範囲内にあるようになっている、請求項２１に記載のスキャニング機能を有する装置を設定する方法。
【請求項２６】
対象物をスキャンする手段を備えた装置を提供するステップと、
スキャンコードを有する装着物を、前記スキャンする手段の前記スキャニング範囲内に配置するステップと、
スキャンして前記スキャンコードからデータまたは情報を得る手段を用いて、前記スキャンコードをスキャンするステップと、
前記スキャンコードから得られたデータまたは情報を処理して、前記装置の１つまたは複数の特性を設定するステップと、
を含む、スキャニング機能を有する装置を設定する方法。
【請求項２７】
スキャニング機能を有する装置を設定し、プロセッサ読取り可能媒体で実施されるプログラムであって、
前記装置の透視ガラス板の設定領域の近くに配置された装着物を光学的にスキャンして、設定データを表わす、前記装着物のスキャンコードを検出するコードと、
前記スキャンコードを自動的に処理して、前記設定データをデコードするコードと、
前記設定データにより、前記装置を自動的に設定するコードと
を具備しているプログラム。
【発明の詳細な説明】
【技術分野】
【０００１】
【背景技術】
【０００２】
例えば、コピー機、多機能プリンタ、またはスキャナのような電子装置は、普通、その目的地によって固有の属性を用いて設定されている。例えば、アメリカ合衆国で用いられるように設定された上記の装置は、普通、別の国で用いられるように設定された装置のものとは異なる言語属性を用いて設定されている。この装置が、顧客への出荷の前に、製造者によって設定される場合には、このことは、製造者の注文および組立のプロセスを複雑にしかねない。この装置が、顧客により、その受取り後に設定される場合には、設定のプロセス中に顧客がミスをすると、誤った動作、顧客の不満、ときには、製造者への装置の返品や販売の低下がもたらされることもある。言語仕様に加えて、あるいは、言語仕様の代りに、このような装置の他の機能および属性を、目的地向けに、あるいは、ユーザにより、様々な用途向けに設定することが望ましいこともある。
【０００３】
上記および他の理由で、本発明が必要である。
【発明の開示】
【発明が解決しようとする課題】
【０００４】
【課題を解決するための手段】
【０００５】
本発明は、本体とスキャナを備えた、スキャニング機能(スキャン機能)付きの装置を提供する。データまたは情報を含むスキャンコードを備えた装着物(attachment)をスキャナのスキャニング範囲内に位置させて、スキャナによってスキャンコードからデータまたは情報を受け取る。このデータまたは情報は、例えば、装置に利用されて、その装置に関連する１つまたは複数の機能を設定することになる。
【０００６】
以下の図面と詳細な説明をよく調べた後で、本発明の他の面が、当業者に明らかになろう。
【発明を実施するための最良の形態】
【０００７】
本発明は、その本質的な特性から逸脱することなく、他の特定の形式で実施できるものとする。これらの例示され、説明される実施形態は、あらゆる点で、例示にすぎず、限定的でないと見なされることになっている。それゆえ、本発明の範囲は、上の説明によらずに、併記の特許請求の範囲によって示されている。これらの特許請求の範囲と同等な意義および範囲に入る変更はすべて、本発明の範囲に含まれることになっている。
【０００８】
図１Ａには、本発明による装置１０の一つの実施形態が例示されている。装置１０は、例えば、スキャナ、コピー機、あるいは、プリンタとして機能するほかに、スキャナとコピー機の少なくとも１つとしても機能する多機能プリンタである。装置１０は、通常、カバー部分すなわちカバー１２を備えている。カバー１２は、本体１４と分離可能に連結されており、カバー１２は、例えば１つまたは複数の連結部材すなわちヒンジ１６などを用いて取り付けられている。本体１４は、ガラス、プラチック、または他の材料で成形されている透視面すなわち透視ガラス板(viewing surface or pane)１８を備えている。透視ガラス板１８により、本体１４内の光学アセンブリなどのスキャナまたはスキャニング手段が、透視ガラス板１８上にまたは透視ガラス板１８にほぼ隣接して置かれた対象物をイメージングし、スキャンすることができる。
【０００９】
一つの実施形態では、透視ガラス板１８は、外枠２０と内枠２２を備えている。外枠２０は、透視ガラス板１８の最大透視エリアを画定している。内枠２２は、透視ガラス板１８の共通イメージング領域を画定している。マーキング(marking)は、透視ガラス板１８上の上記の領域を特定する場合もあるし、特定しない場合もある。例えば、共通イメージング領域は、スキャニングのために対象物を置く枠を画定している。このような構成において、透視ガラス板１８上に置かれた対象物のうち、内枠２２からはみ出た部分は、通常、装置１０ではイメージングされないことになる。しかしながら、透視ガラス板１８が外枠２０まで広がっているときに、対象物のうち、内枠２２から外枠２０へ、あるいは、内枠２２と外枠２０との間に延びている部分は、装置１０をこのように設定すれば、イメージングされることがある。例えば、後で、さらに詳しく述べられるように、装置１０用の設定情報が入っている対象物を、外枠２０と内枠２２との間の領域に位置づけて、スタートアップ中にスキャンするようにする。別法として、この装置は、内枠や外枠を含まず、また、透視ガラス板１８は、この装置のスキャニングの範囲またはフィールドの全部またはほぼ全部を占めるようにする。
【００１０】
他の実施形態では、カバー１２は、対向する２つの側、それぞれ１２ａと１２ｂを備えている。カバー１２が閉められると、側１２ｂは、透視ガラス板１８に隣接するが、一方、側１２ａは、透視ガラス板１８から遠い方にある。カバー１２は、さらに、側１２ａから側１２ｂへ、カバー１２を貫通する開口２４を備えている。開口２４があるとき、カバー１２を閉めると、開口２４は、内枠２２と外枠２０との間のエリア上に、またはそのエリアの周りに位置づけられるように、開口２４がカバー１２の上に配設されている。しかしながら、その代りに、開口２４は、透視ガラス板１８の真上のどこかに、配設することができることも了解されよう。
【００１１】
さらに、この開口は、穴または空隙（ボイド）の形式を取る必要はないが、ただし、別法として、カバー１２の一方の側に置かれた対象物を他方の側からスキャンできるようにするために、カバー１２の一部を貫通する光透過可能な材料（例えば、ガラス、プラスチック、または他の充分透明な材料）で形成されることもある。さらに、様々な代替実施形態では、カバー１２は、１つまたは複数の開口から成ってはいないが、ただし、その代わり、装着部（後で、さらに詳細する）を受け止めるのに利用できる凹み部分、または指定された装着用のエリアまたは領域（マークが付けられたもの、または付けられてないもの）を、側１２ｂ上に備えることがある。
【００１２】
図１Ｂを参照すると、この示されたカバー１２は、カバー部分１２ｃと１２ｄを備えている。カバー部分１２ｃは、本体１４の表面に連結されるなどして付けられているが、一方、カバー部分１２ｄは、例えば連結手段すなわちヒンジ１６を用いて、本体１４に連結されるか、または取り付けられている。１つまたは複数の連結手段またはヒンジ１６は、使用するときには、カバー部分１２ｃまたは１２ｄのどちらの側にあってもよく、図に示される配置には限定されないことに留意されたい。ある配置では、開口２４は、カバー部分１２ｃの側１２ａを貫いて１２ｂまで連通している。透視ガラス板１８は、事実上、開口２４の下に位置づけられるように、側１２ｃの下に位置づけられている。必要条件ではないにしても、内枠２２は、カバー部分１２ｃまで、あるいは、事実上その周りに延びているが、一方、外枠２０は、カバー部分１２ｃおよび開口２４の下に、あるいは、事実上それらの下に延びている。
【００１３】
図２では、光学アンセンブリ２６などのスキャニング手段は、本体１４の中に備えられており、このスキャニング手段は、透視ガラス板１８上に、あるいは透視ガラス板１８付近に位置づけられた用紙などの対象物２８を照光し、スキャンしている。一つの構成において、ＬＥＤまたは電球３０などの照光手段または装置は、対象物２８を照光して、対象物２８からの反射光を、本明細書では光学系３２と呼ばれる１つまたは複数の光学装置または部材に提供している。次に、光学系３２は、対象物２８からの反射光を、受光器３４に移すか、または向けている。受光器３４は、光信号からの関連データまたは情報を取り込み、かつ／または、デジタル化することができる任意のデバイスを備えることもある。受光器３４は、限定していない例示として、受光器３４の表面上への照光に応答して電流を発生させて、デジタル化するコンタクト・イメージング・センサ（ＣＩＳ）または電荷結合素子（ＣＣＤ）を含め、様々な公知の素子をどれでも備えていてもよい。次に、このようにスキャンされた情報を、処理および使用するために、プロセッサ３５に送ることができることが、当業者には容易に理解されよう。プロセッサ３５は、直接に利用できる形式で情報を受け取るか、あるいは、必要なら、操作（例えば、バーコードおよび／またはテキストの認識および／または変換）を行って、有用な情報を得ている。
【００１４】
次に、図２〜図５を参照して、本発明を、さらに詳しく述べる。図２では、装着物３６をカバー１２の側１２ａに付けるなどして結合している。別法として、開口を用いないときには、装着物３６の該当する部分が、読取り可能であるか、あるいは、それ以外にスキャナの光学系の視野内にあるという条件で、装着物３６を装置１０のカバーの側１２ｂまたは他の表面に付けるなどして、結合するか、あるいは取り付けることがある。
【００１５】
装着物３６は、装置１０に情報を提供できる形式をいくつ取ってもよいことに留意されたい。例えば、限定的ではないが、装着物３６には、粘着剤で側１２ａに付けられる一片の紙またはプラスチック媒体、ねじまたは他の機械式の手段で付けられるプレート、装置１０に一体成形または結合されるパネル、あるいは、装置１０でスキャンされる視野範囲内に位置づけられるデータまたは情報を持つ他の任意の適切な材料を備えることもある。一つの実施形態では、装着物３６は、粘着剤で側１２ａに接着された、あらかじめ印刷された設定ラベルであり、この装着物３６の一部は、開口２４の上に延びている。他の実施形態では、装着物３６は、装置１０が、他の目的で設定されるか、あるいは、後で、別の国の新たな場所に移されるときのように、ユーザが容易に付け、かつ／または、取替えることができるものである。例えば、このラベルは、装着のために、側１２ａ上の接合スロットに入れられるタブを含むことがあり、したがって、容易に取替えができるようにしている。
【００１６】
装着物３６は、ラベル側３６ａと設定側３６ｂを有している。図３Ａに示されるように、ラベル側３６ａは、例えば、装置１０に用いられるか、あるいは装置１０を操作するための指示および／または他の情報を含むことがある。図３Ｂに示されるサンプルを参照すると、装着物３６付近に位置づけられたボタンおよび／またはインジケータに対して、操作情報を含むラベル側３６ａが示されている。図３Ｂに示されるように、設定側３６ｂは、バーコード３８などの、スキャン可能または読取り可能なバーコードデータ、あるいは、ユーザまたはマシンで読取り可能な他の形式の情報（一まとめにして、「スキャンコード」と呼ばれる）を有している。限定していない例示として、バーコード３８は、自動設定の情報および／または指示を含め、装置１０がスキャンするか、または読み取ることのできる操作および／または設定情報を含むことがある。プロセッサ３５は、２進設定コード(binary configuration code)などの、直接に利用できる形式のスキャンコードを受け取るが、ただし、必要なら、操作（例えば、バーコードおよび／またはテキストの認識および／または変換）を行って、この設定情報を得ることがある。プロセッサ３５に結合されたメモリ（図示されてない）は、プロセッサ３５により実行できるプロセッサ読取り可能な指示を有し、スキャナまたはスキャニング手段を制御し、このスキャンされた情報を処理し、かつ、このスキャンされた情報に基づいて装置１０を設定している。
【００１７】
図４に示されるように、装着物３６は、バーコード２８を開口２４の上に位置づけるように、カバー１２の側１２ａに付けられることがある。これは、光学アセンブリ２６の光学的視野内にバーコード３８を位置づけることになる。しかしながら、この場合も、前に留意された通りに、装置１０は、開口２４を備える必要はなく、その代り、装着物３６の関連部分を、装置１０の光学系がスキャンできさえすれば、装着物３６を側１２ｂに付けるなどして、結合することもある。
【００１８】
次に、図５と図６を参照して、本発明の一つの実施形態の一般的な動作を示し、説明する。図６に５０として示されるステップにおいて、装着物３６が透視ガラス板１８（または、その周り）の設定領域の近くに設けられ、配置され、または他の方法で位置づけられる（恒久的であれ、一時的であれ）。いくつかの実施形態では、バーコード３８の少なくとも関連する一部が、開口２４の上に位置づけられて、かつ、光学アセンブリ２６の読取り可能な光学的視野内にあるように、装着物３６をカバー１２の側１２ａにある開口の上に配置することがある。開口がないか、あるいは、開口が利用されないときのような代替実施形態では、代りに、バーコード３８をカバー１２の反対側１２ｂに配置する（関連情報が、光学式読取り装置に面している）か、あるいは、そうでなく、装置１０の光学的視野またはスキャニング範囲内に位置づけることもある。
【００１９】
ステップ５２において、装置１０は、設定領域（通常、スキャンコードがあると予想できるスキャニング領域を含む）を光学的にスキャンして、スキャンコードを検出する。通常、装置１０のスイッチを入れ、次に、コード向けの「初期」スキャンを行うことになる。しかしながら、所望の設定、および装置１０に関連するプログラミングによっては、装置のスイッチを入れるたびごとに、あるいは何か他の指定された間隔で、スキャンを一回、行うかもしれない。一つの実施形態では、プロセッサ３５の初期プログラミングは、内枠２２と外枠２０との間のエリアをスキャンしてバーコード３８を読み取るように、光学系３２および電球３０に指示している。しかしながら、前に留意された通りに、バーコード３８は、装置１０で読み取れるという条件で、他の場所に位置付けられてもよい。
【００２０】
５４で表わされるステップでは、装置１０は、このスキャンコードを自動的に処理して、この設定データ、または他の情報をデコードする。一つの実施形態では、照光、すなわちスキャンコードから得られる情報は、受光器３４で受け取られて、接続されたプロセッサ３５によってデジタル方式で解読される。
【００２１】
ステップ５６では、装置１０は、この設定データに基づいて自動的に設定される。
【００２２】
その結果、言語および他の変数セッティングなどの特定のセッティングなどの特定のセッティングは、技術者または操作者による最小限の介入でセットされる。言語（例えば、英国のスペルは、米国のスペルとは異なる場合がある）、用紙サイズ（例えば、ヨーロッパではＡ４サイズ、またはアメリカ合衆国では標準サイズ）、動作速度（例えば、値段の安い方のモデルは、値段の高い方のモデルよりも遅い速度で、スキャン／印刷する場合がある）、デフォルトセッティング、または他の同様な設定といった、多くの異なる設定がこのようにして行われることがある。
【００２３】
追加の実施形態では、ユーザは、装置１０に用いられる情報またはスキャンコードに関連して、さらに積極的な役目を果たすことがある。希望するなら、ユーザは、装置１０に関連のある所望の機能または設定を実施する様々なスキャンコードを印刷するなどして、得ることができる。例えば、限定的ではないが、装置１０が１つまたは複数のコントロール機器（例えば、ボタン、タッチ・センサ、またはスイッチ）を備えるときには、ユーザは、スキャンコード付きの装着物３６を提供して、１つまたは複数の割当て可能な、または「プログラム可能な」コントロールを設定することができる。ユーザのニーズまたは要望を特に満たすように、装置１０の複数の面または機能をすばやく、かつ適宜に設定できることは、メニューもディスプレイも持たない装置、あるいは、利用できる限られたスペース、および／または、限られた数のコントロール、および、利用できる対応するコントロールの数を超える多数の利用できるプログラム可能な機能を持つ装置に関連して、特に役に立つこともある。
【００２４】
例えば、ほんの少数のボタンしか備えていないが、ただし、多数の潜在的な単一ボタン作動機能を持つ装置では、ユーザは、ユーザで選択される対応する機能をコントロールに割り当てるスキャンコードを、この装置に提供することができる。限定していない例示として、ユーザで定義される機能のいくつかの例には、フォトモード、ページ合わせモード、拡大縮小セッティング、画像の複写と配列などがある。このようなやり方で、ユーザで作成または導入された装着物により、ユーザは、この装置のかなり多くの面をカスタマイズすることができる。この装着物は、複数のオーバーレイ（上紙）を含み、あるいは、裏返されるか、または向け直されることで、付加的に求められる機能を広範に選択させるように装置を容易に設定できる場合もある。
【００２５】
本発明は、特に、上述の実施形態を参照して図示され、記述されてきたが、当業者であれば、本明細書に記述される本発明の実施形態に代わる様々な別法も、併記の特許請求の範囲に定義される本発明の範囲から逸脱することなく、本発明を実施するのに使用できることが理解されよう。併記の特許請求の範囲は、本発明の範囲を定義するつもであり、またこの特許請求の範囲、およびこの特許請求の範囲の均等範囲に入る方法および装置は、この特許請求の範囲によってカバーされるものである。このような本発明の記述は、本明細書に述べられる要素の新規および非自明の組合せをすべて含むものとする。特許請求の範囲は、本願またはその後の出願において、これらの要素の新規および非自明のどんな組合せにも提示されることがある。上述の実施形態は、例示であって、いかなるただ１つの特徴も、ただ１つの要素も、本願またはその後の出願において請求され得るあらゆる可能な組合せにとって、不可欠なものではない。この特許請求の範囲が、この特許請求の範囲の均等範囲の「１つの」または「第１の」要素を述べる場合には、このような特許請求の範囲は、このような要素の１つまたは複数の組入れを含むものとし、このような要素の２つ以上を必要としないし、また除外もしない。
【図面の簡単な説明】
【００２６】
【図１Ａ】本発明の一つの実施形態による装置の斜視図である。
【図１Ｂ】本発明の一つの実施形態による装置の斜視図である。
【図２】本発明の一つの実施形態による装置の側面図である（「プロセッサに結合されるメモリを追加する」）。
【図３Ａ】本発明の一つの実施形態による装置用の設定装着物の上面図である。
【図３Ｂ】本発明の一つの実施形態による装置用の設定装着物の底面図である。
【図４】本発明の一つの実施形態による装置の作業斜視図である。
【図５】本発明の一つの実施形態による装置の側面図である。
【図６】本発明の一つの実施形態による装置の一般動作を示す流れ図である。
【符号の説明】
【００２７】
１０  装置
１２  カバー
１４  本体
１８  透視ガラス板
２０  外枠
２２  内枠
３５  プロセッサ
３６  装着物
【図１Ａ】
2004266833.tif 000003
【図１Ｂ】
2004266833.tif 000004
【図２】
2004266833.tif 000005
【図３Ａ】
2004266833.tif 000006
【図３Ｂ】
2004266833.tif 000007
【図４】
2004266833.tif 000008
【図５】
2004266833.tif 000009
【図６】
2004266833.tif 000010